(57)【要約】      （修正有）【課題】使用者に比較的迅速で、省力で収納カートを折り畳み収蔵及び展開使用させ、且つ異なる載置位置を有し、使用者に物品を安置させることができる折り畳み収納車構造を提供する。【解決手段】折り畳み収納車構造は、上載置板１、２つのフレーム管２、下載置板３、ポール４、複数の支持棒５、２つの調節嵌合組６及び複数の接続部材を含む。調節嵌合組の制御により、上下載置板に水平安置又は直立折り畳みを形成させることができ、このように使用者が車を収納折り畳み時、収納上の空間を節減させることができ、更に使用者に操作上の実用性を提供することができる。【選択図】図１
0003185582.tif 000002
【実用新案登録請求の範囲】
【請求項１】
２つの板片を含み、該２つの板片の一端が相互に並んで寄りかかり合い、且つ各板片の互い寄りかかった一端の両側にそれぞれ枢着片を溶接し、該２つの板片の同一側の枢着片は、積層形態を呈する上載置板と、
それぞれ該２つの板片の相対側に軸回転可能に設置され、且つ底部に２つのローラを設置する２つのフレーム管と、２つの板体を含み、該２つの板体の一端に相互に並べて寄りかかり合い、且つ各板体の並んで寄りかかる一端の両側にそれぞれ枢着組片を溶接し、また、該２つの板体の同一側の枢着組片が積層形態を呈する下載置板と、
その一端が該２つの板片の枢着片、該２つの板体の枢着組片と互いに枢着し、他端が下載置板下方から上、下載置板の他側まで横に跨り、更に他側の該２つの枢着片、該２つの枢着組片と相互に枢着し、また、その両端に上載置板に対応してそれぞれ滑動ベースを滑動設置するポールと、
複数の支持棒であり、各滑動ベースがそれぞれ２つの支持棒を組み付け、各支持棒一端が滑動ベースに枢着し、他端がそれぞれ該２つのフレーム管に枢着する複数の支持棒と、
２つの調節嵌合組であり、それぞれポール両端に組み付けられ、各調節嵌合組がプッシュプルボタンと、弾性部材と、密封支持部材と、を含み、該密封支持部材は、ポール末端に被せ合わせられ、滑動ベース上方に位置し、該プッシュプルボタンは、密封支持部材と互いに枢着し、且つ滑動ベースを滑動的にロックし、該弾性部材は、プッシュプルボタン内に組み付けられ、その一端がプッシュプルボタンに弾性係合し、他端が密封支持部材に弾性係合する２つの調節嵌合組と、
複数の接続部材であり、各接続部材が該２つの板片の枢着片、該２つの板体の枢着組片と互いに枢着し、且つポールと枢着片、枢着組片との間に介在し、各接続部材がポールの一側に対応して溶接柱を凸伸し、該溶接柱は、プッシュプルボタンの一側から入り、更にポールに穿合する複数の接続部材と、
を含む折り畳み収納車構造。
【請求項２】
前記滑動ベース外周は、プッシュプルボタンに対応して更に２つの間隔を呈して設置される組み立てブロックを凸設し、且つ各組み立てブロック上に孔を開設し、各支持棒の一端は、孔に挿入され、該滑動ベース外周は、該２つの組み立てブロックの間に更に限位凸ブロックを凸伸し、且つ該限位凸ブロックは、Ｔ字状を呈し、該限位凸ブロック両側及び該２つ組み立てブロックがそれぞれ限位溝を形成し、各支持棒の孔に挿入設置する一端付近は、限位溝内に嵌め込まれる請求項１の折り畳み収納車構造。
【請求項３】
前記滑動ベース外周側且つ限位ブロックの上方には、更に係止片を凸伸し、プッシュプルボタンの滑動ベースに対応する一側は、凹溝を設け、且つ凹溝底面は、係止片に対応して嵌合片を凸設し、該嵌合片は、プッシュプルボタンが密封支持部材へ軸回転し、寄り合う時、係止片と相互に嵌合定位する請求項２の折り畳み収納車構造。
【請求項４】
前記滑動ベースの凹溝内に定位凸柱を更に凸伸し、滑動ベースに組み付ける弾性部材は、定位凸柱に被せ設け、限位させ、脱落を防止する請求項３の折り畳み収納車構造。
【請求項５】
前記ポールがＵ字状であり、載置板下方に位置し、その両端がそれぞれポール、及び該２つのフレーム管の何れか１つに枢着する物置籠を更に設ける請求項１の折り畳み収納車構造。
【請求項６】
前記２つのフレーム管の何れか１つは、更に上向きに把手を延伸する請求項１の折り畳み収納車構造。
【考案の詳細な説明】
【技術分野】
【０００１】
本考案は、折り畳み収納車構造に関し、使用者が物品載置の要求に基づき、自由に展開又は折り畳みできる収納車を提供し、物品の載置及び収蔵に用いることができ、使用性が極めて良好な考案である。
【背景技術】
【０００２】
科学技術の急速な進歩が人類の生活上の進歩をもたらし、これが最も顕著に見られるのは、周辺生活にしばしば出現する機械及び電気機器用品であり、これら科学技術製品は、豊富であり且つ人々の生活を便利にしているが、これらの製品の構成は、多くの細かな部品が組み立てられて形成され、そうして初めて人々に使用を提供することができるので、これら科学技術製品の背後には、製品の組み立て、メンテナンス等も不可欠な部分となっている。
【０００３】
これら製品の組み立て、メンテナンスにおけるエンジニア等が毎回の作業において、多くの異なる部品及びハンドツールを使用する必要があり、自身の作業上に便利である為、エンジニア等は、完全な収納により各類型のハンドツール及び部品を区分し、市場でよく見られる収納用の物品は、２種あり、その１つは、携帯に便利な工具箱であり、もう１つは、作業現場で用いる収納カートであり、収納カートの類型においては、異なる作業種類に基づいて異なる形態を有し、レストランで料理を搬送する料理カート、オフィスで文書を搬送する文書カート、工場内で原料を搬送する原料カート等であり、大部分は、それを無人の領域、階段下方等に安置し、実際には、カーとは依然として部分的空間を占拠し、且つカート数量の増加時、安置する箇所は、より多くの空間を収蔵に提供することができず、カートの相互の堆積、圧損を招くか、使用者の勝手な放置により他人に影響を及ぼす等の欠陥を招くので、関連業者は、この種の収納カートを如何に収蔵し、空間の占拠を減少させるかを思考する必要がある。
【０００４】
中華民国専利公告第Ｍ２９５０６９号「組み合わせ式作業車の構造改良」を参照し、それは、組み合わせ式作業車の構造改良であり、複数の載置板、複数の接続柱、２つの把手、底台及び４つのプーリーから構成される。各載置板の四隅にそれぞれ上向き及び下向きに結合柱を延伸し、各結合柱の両端に螺子孔を有し、各接続柱を挿入設置させ、螺合固定させ、また、底台下方にプーリーを設置する。これにより、ツール車の構造全体を組み合わせ後に分離、脱落し難くし、構造の強化、実用性の向上の目的を達成する。
【０００５】
上記「組み合わせ式作業者の構造改良」は、市場でよく見られる物品を搬送するカートであり、物品の載置搬送を提供することができ、且つ使用しない時にそれを分解し、収蔵し、空間を節減できるが、その欠陥は、使用者は、毎回の使用において、時間を消費し、１つ１つ組み立てなければならず、且つ仮に１つの部材が欠けた場合、このカートが使用できないので、関連業者は、如何に改善し、大衆の使用に適合させるかを更に思考しなければならない。
【０００６】
上記「組み合わせ式作業車の構造改良」及び従来のカートが折り畳みできない欠陥に鑑み、本考案者は、多くの時間を投じ、関連知識を研究し、各項の優劣を比較し、且つ関連製品の研究及び開発を行い、多数回の実験及び試験を経て、ようやく『折り畳み収納車改良構造』を考案しており、これは、上記説明の欠陥を改善し、大衆の要求する使用に適合するものである。
【先行技術文献】
【特許文献】
【０００７】
【特許文献１】中華民国専利公告第Ｍ２９５０６９号
【考案の概要】
【考案が解決しようとする課題】
【０００８】
本考案の目的は、使用者に比較的迅速で、省力な方式で収納カートを折り畳み収蔵及び展開使用させ、且つ異なる載置位置を提供し、使用者に物品を安置させ、従来のカート及び上記「組み合わせ式作業車の構造改良」の欠陥を改善し、その改善の要点は、従来のカートが折り畳みできず、収蔵空間を占拠し、「組み合わせ式作業車の構造改良」において、時間を消費して組み立てて初めて使用できる等の欠陥を改善することにある。
【課題を解決するための手段】
【０００９】
前記考案の目的及び効果を達成する為、本考案の折り畳み収納車構造は、２つの板片を含み、該２つの板片の一端が相互に並んで寄りかかり合い、且つ各板片の互い寄りかかった一端の両側にそれぞれ枢着片を溶接し、該２つの板片の同一側の枢着片は、積層形態を呈する上載置板と、それぞれ該２つの板片の相対側に軸回転可能に設置され、且つ底部に２つのローラを設置する２つのフレーム管と、２つの板体を含み、該２つの板体の一端に相互に並べて寄りかかり合い、且つ各板体の並んで寄りかかる一端の両側にそれぞれ枢着組片を溶接し、また、該２つの板体の同一側の枢着組片が積層形態を呈する下載置板と、
その一端が該２つの板片の枢着片、該２つの板体の枢着組片と互いに枢着し、他端が下載置板下方から上、下載置板の他側まで横に跨り、更に他側の該２つの枢着片、該２つの枢着組片と相互に枢着し、また、その両端に上載置板に対応してそれぞれ滑動ベースを滑動設置するポールと、複数の支持棒であり、各滑動ベースがそれぞれ２つの支持棒を組み付け、各支持棒一端が滑動ベースに枢着し、他端がそれぞれ該２つのフレーム管に枢着する複数の支持棒と、
２つの調節嵌合組であり、それぞれポール両端に組み付けられ、各調節嵌合組がプッシュプルボタンと、弾性部材と、密封支持部材と、を含み、該密封支持部材は、ポール末端に被せ合わせられ、滑動ベース上方に位置し、該プッシュプルボタンは、密封支持部材と互いに枢着し、且つ滑動ベースを滑動的にロックし、該弾性部材は、プッシュプルボタン内に組み付けられ、その一端がプッシュプルボタンに弾性係合し、他端が密封支持部材に弾性係合する２つの調節嵌合組と、複数の接続部材であり、各接続部材が上載置板両側の枢着片、下載置板両側の枢着組片と互いに枢着し、且つポールと枢着片、枢着組片との間に介在し、各接続部材がポールの一側に対応して溶接柱を凸伸し、該溶接柱は、プッシュプルボタンの一側から入り、更にポールに穿合する複数の接続部材と、
を含む。
【００１０】
本考案の折り畳み収納車構造は、更に以下の技術特徴を有する：
本考案の該滑動ベース外周は、プッシュプルボタンに対応して更に２つの間隔を呈して設置される組み立てブロックを凸設し、且つ各組み立てブロック上に孔を開設し、各支持棒の一端は、孔に挿入され、該滑動ベース外周は、該２つの組み立てブロックの間に更に限位凸ブロックを凸伸し、且つ該限位凸ブロックは、Ｔ字状を呈し、該限位凸ブロック両側及び該２つ組み立てブロックがそれぞれ限位溝を形成し、各支持棒の孔に挿入設置する一端付近は、限位溝内に嵌め込まれる。
【００１１】
本考案の該滑動ベース外周側且つ限位ブロックの上方には、更に係止片を凸伸し、プッシュプルボタンの滑動ベースに対応する一側は、凹溝を設け、且つ凹溝底面は、係止片に対応して嵌合片を凸設し、該嵌合片は、プッシュプルボタンが密封支持部材へ軸回転し、寄り合う時、係止片と相互に嵌合定位する。
【００１２】
本考案は、該滑動ベースの凹溝内に定位凸柱を更に凸伸し、滑動ベースに組み付ける弾性部材は、定位凸柱に被せ設け、限位させ、脱落を防止する。
【００１３】
本考案は、該ポールがＵ字状であり、載置板下方に位置し、その両端がそれぞれポール、及び該２つのフレーム管の何れか１つに枢着する物置籠を更に設ける。
【００１４】
本考案の該２つのフレーム管の何れか１つは、更に上向きに把手を延伸する。
【考案の効果】
【００１５】
上記各項の技術特徴の説明を綜合し、本考案の利点は、使用者に迅速で、省力した方式で折り畳み、展開させることができ、且つ簡易な押圧方式で即座に調整させ、更に使用者に異なる物品の大きさに基づき、異なる位置に安置させることができる。
【図面の簡単な説明】
【００１６】
【図１】本考案の立体説明図である。
【図２】本考案の局部分解説明図である。
【図３】本考案のプッシュプルボタンの他の視角の立体拡大説明図である。
【図４】本考案の滑動ベースの立体拡大説明図である。
【図５】図１の側面説明図である。
【図６】図５の調節嵌合組の断面説明図である。
【図７】本考案の折り畳み状態の説明図である。
【図８】調節嵌合組の折り畳み時の動作断面説明図である。
【図９】本考案及び物置籠の分解立体説明図である。
【考案を実施するための形態】
【００１７】
本考案が上記目的及び効果を達成することを明確に説明する為、折り畳み収納車構造が採用する技術、手段及び達成する効果について、好適実施例を挙げ、図面を合わせて以下に詳細を説明する。
【００１８】
以下に好適実施形態により説明するが、本考案に対し、如何なる形式上の制限を行うものではなく、図１〜図４に示すように、本考案の折り畳み収納車構造は、２つの板片１１を含み、該２つの板片１１の一端が相互に並んで寄りかかり合い、且つ各板片１１の互い寄りかかった一端の両側にそれぞれ枢着片１２を溶接し、該２つの板片１１の同一側の枢着片１２は、積層形態を呈する上載置板１と、それぞれ該２つの板片１１の相対側に軸回転可能に設置され、且つ底部に２つのローラ２１を設置する２つのフレーム管２と、２つの板体３１を含み、該２つの板体３１の一端に相互に並べて寄りかかり合い、且つ各板体３１の並んで寄りかかる一端の両側にそれぞれ枢着組片３２を溶接し、また、該２つの板体３１の同一側の枢着組片３２が積層形態を呈し、該２つの板片１１及び該２つの板体３１がそれぞれ複数の間隔をおいて設置される孔を開設する下載置板３と、
その一端が該２つの板片１１の枢着片１２、該２つの板体３１の枢着組片３２と互いに枢着し、他端が下載置板３下方から上、下載置板１，３の他側まで横に跨り、更に他側の該２つの枢着片１２、該２つの枢着組片３２と相互に枢着し、また、その両端に上載置板１に対応してそれぞれ滑動ベースを滑動設置するポール４と、複数の支持棒５であり、各滑動ベース４１がそれぞれ２つの支持棒５を組み付け、各支持棒５一端が滑動ベース４１に枢着し、他端がそれぞれ該２つのフレーム管２に枢着する複数の支持棒５と、
２つの調節嵌合組６であり、それぞれポール４両端に組み付けられ、各調節嵌合組６がプッシュプルボタン６１と、弾性部材６２と、密封支持部材６３と、を含み、該密封支持部材６３は、ポール４末端に被せ合わせられ、滑動ベース４１上方に位置し、該プッシュプルボタン６１は、密封支持部材６３と互いに枢着し、且つ滑動ベース４１を滑動的にロックし、該弾性部材６２は、プッシュプルボタン６１内に組み付けられ、その一端がプッシュプルボタン６１に弾性係合し、他端が密封支持部材６３に弾性係合する２つの調節嵌合組６と、複数の接続部材７であり、各接続部材７が該２つの板片１１の枢着片１２、該２つの板体３１の枢着組片３２と互いに枢着し、且つポール４と枢着片１２、枢着組片３２との間に介在し、各接続部材７がポール４の一側に対応して溶接柱７１を凸伸し、該溶接柱７１は、プッシュプルボタン６１の一側から入り、更にポール４に穿合する複数の接続部材と、
を含む。
【００１９】
前記は、本考案の実施例の主要技術特徴であり、それは、本願の特許請求の範囲第１項の内容に対応し、本考案の目的及び実施形態を詳細に理解することができ、その残りの従属特許請求の範囲に記載する技術特徴は、特許請求の範囲第１項の内容に対する詳細又は付加技術特徴であり、特許請求の範囲第１項の限定範囲を制限するものではなく、本考案の特許請求の範囲第１項は、必ずしもその従属特許請求の範囲に記載する技術特徴を含むものではない。
【００２０】
本考案の使用及び折り畳み収納状態について、以下にそれぞれ例を挙げて説明し、図５〜図８を合わせ参照する：
使用状態：本考案の使用状態において、該上載置板１の２つの板片１１及び該下載置板３の２つの板体３１は、同一の水平を呈し、且つ２つずつ相互に並べて寄りかかり合い、該上載置板１は、下載置板３と上下間隔を呈して積層設置され、また、該ポール４は、Ｕ字状の設計を呈し、且つ下載置板３から下方へ跨り、各接続部材７の溶接柱７１は、密封支持部材６３外側からポール４に入り、更にポール４を挿入し、更に上下載置板１，３及び各接続部材７の枢着設置を合わせることにより、上下載置板１，３の使用状態の重量を支持することができ、板片１１及び板体３１が収納物品を積載する時、適当な支持構造を有し、且つその短小、軽量な支持構造が過大な重量を増加することがなく、同時に製造コストが低い特性を有する。
【００２１】
折り畳み状態：折り畳み状態を説明する前に、先ず該調節嵌合組６の各部材の特徴を詳細に説明し、該滑動ベース４１外周は、プッシュプルボタン６１に対応して、２つの間隔を呈して設置される組み立てブロック４１１を設け、且つ各組み立てブロック４１１上に孔４１１１を開設し、且つ各孔４１１１は、同一の高さに設置され、各支持棒５の一端は、孔４１１１に挿入設置され、また、該滑動ベース４１外周且つ該２つの組み立てブロック４１１の間に限位凸ブロック４１２を凸伸し、且つ該限位凸ブロック４１２は、Ｔ字状を呈し、該限位凸ブロック４１２両側及び該２つの組み立てブロック４１１は、それぞれ限位溝４１３を形成し、各支持棒５の孔４１１１に挿入設置する一端付近は、限位溝４１３内に嵌め込まれ、また、滑動ベース４１外周側且つ限位凸ブロック４１２の上方に更に係止片４１４を凸伸し、プッシュプルボタン６１の滑動ベース４１に対応する一側に凹溝６１１を設け、且つ凹溝６１１溝底面は、係止片４１４に対応し、嵌合片６１１１を凸設し、該嵌合片６１１１は、プッシュプルボタン６１が密封支持部材６３へ軸回転し、寄り合う時、係止片４１４と相互に嵌合定位する。
【００２２】
使用者が使用を完了後、プッシュプルボタン６１を押圧するだけで、プッシュプルボタン６１を係止片６３に相対して軸回転させ、プッシュプルボタン６１の凹溝６１１内において、更に定位凸柱６１２を凸伸し、該弾性部材６２は、定位凸柱６１２に被せ設けられ、限位させ、脱落を防止し、プッシュプルボタン６１内に位置する嵌合片６１１１は、プッシュプルボタン６１の押圧により滑動ベース４１の係止片４１４との相互の嵌合を離脱し、且つ弾性部材６２は、圧縮を受けて蓄力し、この時、使用者は、調節嵌合組６を上向きに引き上げ、ポール４は、滑動ベース４１に相対して上向きに持ち上がり、滑動ベース４１について述べれば、ポール４底端方向へ滑動移動し、また、滑動ベース４１は、滑動移動の過程において、複数の支持棒５を連動し、複数の支持棒５末端に両側のフレーム管２を引かせ、上載置板１及び下載置板３に調節嵌合組６を介してポール４に相対して回転させ、上載置板１の２つの板片１１が互に寄り合う一側、及び下載置板３の２つの板体３１が相互の寄り合う一側から上向きに回転し、最後に該２つの板片１１の底面を相互に対応させ、下載置板３の該２つの板体３１の底面も相互に対応させ、このようにして、本考案の折り畳み状態を円滑に完成することができる。
【００２３】
また、本考案は、使用者により多くの物置空間を提供する為、ポール４の設計において、Ｕ字型を呈し、上載置板１下方に位置する物置籠８を更に設け、且つ該物置籠８両端は、それぞれポール４、及び該２つのフレーム管２中の何れか１つのフレーム管２に枢着氏、これにより、使用者は、異なる大きさの物品を上載置板１、下載置板３及び物置籠８内に分散安置することができ、このように、搬送載置物品の数量を増加でき、図９に示すようである。
【００２４】
また、提示すべきこととして、本考案は、使用者に便利に推進させる為、該２つのフレーム管２中の何れか１つの上端に更に上向きに把手２３を延伸し、該把手２３は、コの字型を呈し、且つ使用者に合わせ、下向きに湾曲する弧度を有し、このように、該２つのフレーム管２底端のローラ２１と共に使用し、使用者の推進に便利であり、図１に示すようである（本考案の把手２３の設計において、コの字型を実施例として説明するが、その形状を制限することに用いるものではなく、把手２３の形状は、使用者掴持習慣に応じて異なる形状を有することができる）。
【００２５】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２６】
１  上載置板
１１  板片
２  フレーム管  
２１  ローラ
２３  把手
３  載置板
３１  板体
３２  枢着片
４  ポール
４１  滑動ベース
４１１  組み立てブロック
４１１１  孔
４１２  限位凸ブロック
４１３  限位溝
４１４  係止片
５  支持棒
６  調節嵌合組
６１  プッシュプルボタン
６１１  凹溝
６１１１  嵌合片
６１２  定位凸柱
６２  弾性片
６３  密閉支持部材
７  接続部材
７１  溶接柱
８  物置籠
【図１】
0003185582.tif 000003
【図２】
0003185582.tif 000004
【図３】
0003185582.tif 000005
【図４】
0003185582.tif 000006
【図５】
0003185582.tif 000007
【図６】
0003185582.tif 000008
【図７】
0003185582.tif 000009
【図８】
0003185582.tif 000010
【図９】
0003185582.tif 000011